Podtech/llm-jp-corpus-v4-ja_patent huggingface dataset:
【手続補正書】
【提出日】平成25年2月25日(2013.2.25)
【手続補正１】
【補正対象書類名】特許請求の範囲
【補正対象項目名】請求項１
【補正方法】変更
【補正の内容】
【請求項１】
哺乳類の神経伝達機能不全またはmGluR4活性に関連するその他の症状を治療するための、次の式：
【化１】
2012516355.tif 000001
（式中、
Rは、水素、ハロゲン、ヒドロキシ、メトキシ、ニトリル、ニトロ、チオール、任意に置換されたアミノ、アルキル、C1-6 アルキル、シクロアルキル、C3-10 シクロアルキル、アルコキシ、アリール、ヘテロアリール、CONR7R8、CF3 および1〜12個の炭素からなる任意に置換された有機残基から独立して選択される４つの置換基からなり；
R1 はそれぞれ、水素、ハロゲン、ヒドロキシ、メトキシ、アルコキシ、ニトリル、ニトロ、チオール、任意に置換されたアミノ、アリール、ヘテロアリール、CF3、アルキル、C1-6 アルキル、シクロアルキル、C3-10 シクロアルキル、CONR7R8および1〜12個の炭素からなる任意に置換された有機残基から独立して選択される１以上の置換基からなり；
R2 はそれぞれ、水素、ハロゲン、ヒドロキシ、メトキシ、アルコキシ、ニトリル、ニトロ、チオール、任意に置換されたアミノ、アリール、ヘテロアリール、CF3、NR7R8、アルキル、C1-6 アルキル、シクロアルキル、C3-10 シクロアルキル、CONR7R8、SO2NR7R8および1〜12個の炭素からなる任意に置換された有機残基から独立して選択される１以上の置換基からなり；
R3 は、水素、1〜12個の炭素からなる任意に置換された有機残基または加水分解可能な残基からなり；
R5 およびR6 は独立して、水素、ハロゲン、カルボニル、チオカルボニル、CF3、ニトリル、アルキル、C1-6 アルキル、シクロアルキル、C3-10 シクロアルキルまたはC、O、Sおよび／またはNを含む3-8員環であり；
R7 およびR8 は独立して、水素、ハロゲン、アルキル、C1-6 アルキル、シクロアルキル、C3-10 シクロアルキル、アルコキシ、アリール、ヘテロアリール、ニトリル、CF3であり；
M はNR3、CR5R6であり；
K はNR3、CR5R6であり；
Y はC3-C12 シクロアルキルまたはC3-C12 シクロアルケニルまたはアリールまたはヘテロアリールまたはC3-C12 ヘテロシクロアルキルまたはC3-C12 ヘテロシクロアルケニルまたはC、O、Sおよび／またはNを含む3-8員環であり；
Z はC3-C12 シクロアルキレンまたはC3-C12 シクロアルケニレンまたはアリレンまたはヘテロアリレンまたはC3-C12 ヘテロシクロアキレンまたはC3-C12 ヘテロシクロアルケニレンであり；
k は0〜25の整数であり；
m は0〜24の整数であり；
n はそれぞれ独立して0〜1の整数である）
によって表わされる構造を有する少なくとも一つの化合物またはその医薬的に許容される塩の使用。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
（ａ）（ｉ）サイクリン依存性キナーゼＣＤＫ４および／またはＣＤＫ６の生物活性を妨げるタンパク質、または（ｉｉ）ＣＤＫ４および／またはＣＤＫ６発現および／または活性を妨げるＲＮＡをコードする核酸分子；及び
（ｂ）（ａ）の誘導性プロモーターに結合し、それを活性化することができる、トランス活性化因子タンパク質をコードする核酸分子；を含む、１種類のベクターまたは少なくとも２種類のベクターの混合物。
【請求項２】
（ａ）の核酸分子によってコードされるタンパク質は、ＣＤＫ４および／またはＣＤＫ６の生物活性を低減または抑制する請求項１のベクター。
【請求項３】
ＣＤＫ４および／またはＣＤＫ６発現を妨げるＲＮＡが、ｓｉＲＮＡ、ｓｈＲＮＡ、ミクロＲＮＡ、非コードＲＮＡ、リボザイム又はデオキシリボザイムである請求項１又は２のベクター。
【請求項４】
ベクターが、ウイルスベクターである請求項１から３のいずれか１つのベクター。
【請求項５】
ウイルスベクターが、レンチウイルス又はＡＡＶである請求項４のベクター。
【請求項６】
レンチウイルスが、組込み不能レンチウイルスウイルスである請求項５のベクター。
【請求項７】
ベクターが、非ウイルスベクターである請求項１、２又は３のベクター。
【請求項８】
ベクターが、さらに、細胞特異的標的化のためのペプチドまたはポリペプチドをコードする核酸配列を含有する及び／あるいは細胞特異的発現を可能にする核酸を含有する請求項１から７のいずれか１つのベクター。
【請求項９】
細胞特異的標的化のためのポリペプチドが、細胞型特異的エピトープを認識する抗体である請求項８のベクター。
【請求項１０】
細胞特異的標的化のためのペプチドが、細胞型特異的表面プロモーターを認識するペプチドである請求項８のベクター。
【請求項１１】
誘導性プロモーターが、神経特異的プロモーターである請求項１のベクター。
【請求項１２】
プロモーターが、ＣａｍＫＩＩプロモーターである請求項１１のベクター。
【請求項１３】
トランス活性化タンパク質が、リバーステトラサイクリン制御トランス活性化因子：ｒｔＴＡである請求項１から１２のいずれか１つのベクター。
【請求項１４】
サイクリン依存性キナーゼＣＤＫ４および／またはＣＤＫ６の生物活性を妨げるタンパク質が、ＩＮＫ４ファミリーである請求項１から１３のいずれか１つのベクター。
【請求項１５】
ＩＮＫ４ファミリーのメンバーが、ｐ１６INK4a、ｐ１５INK4B、ｐ１８INK4Cまたはｐ１９INK4Dである請求項１４のベクター。
【請求項１６】
化合物が、Ｃｉｐ／Ｋｉｐファミリーのメンバーである請求項１から１３のいずれか１つのベクター。
【請求項１７】
Ｃｉｐ／Ｋｉｐファミリーのメンバーが、ｐ２１Cip、ｐ２７Kip1またはｐ５７Kip2である請求項１６のベクター。
【請求項１８】
（ａ）神経変性疾患又は（ｂ）細胞周期の不定期の活性化に関連する疾患の予防または治療用の請求項１から１７のいずれか１つに記載のベクター。
【請求項１９】
請求項１から１７のいずれか１つに記載のベクターを含有する（ａ）神経変性疾患又は（ｂ）細胞周期の不定期の活性化に関連する疾患の予防または治療用医薬組成物。
【請求項２０】
神経変性疾患がアルツハイマー病である請求項１８のベクター。
【請求項２１】
ベクターが、対流増加送達によって神経系に適用される請求項１８のベクター。
【請求項２２】
神経変性疾患がアルツハイマー病である請求項１９の医薬組成物。
【請求項２３】
ベクターが、対流増加送達によって神経系に適用される請求項１９の医薬組成物。
【誤訳訂正書】
【提出日】平成25年2月1日(2013.2.1)
【誤訳訂正１】
【訂正対象書類名】特許請求の範囲
【訂正対象項目名】全文
【訂正方法】変更
【訂正の内容】
【特許請求の範囲】
【請求項１】
完全な血清型3の骨格、及び、腫瘍特異的または組織特異的プロモーターを含む、腫瘍溶解ヒトアデノウイルスベクター。
【請求項２】
前記腫瘍特異的プロモーターが、Ad3 E1A領域を制御するhTERTプロモーターである、請求項1に記載の腫瘍溶解ヒトアデノウイルスベクター。
【請求項３】
前記プロモーターが、Ad3 E3領域を制御する複製活性化Ad3 E3プロモーターである、請求項1に記載の腫瘍溶解ヒトアデノウイルスベクター。
【請求項４】
1つまたは2つ以上のトランスジーンを含む、請求項1から3のいずれか1項に記載の腫瘍溶解ヒトアデノウイルスベクター。
【請求項５】
前記トランスジーンが、顆粒球-マクロファージコロニー刺激因子（GM-CSF）、ヒトヨウ化ナトリウムシンポーター（hNIS）、インターフェロンアルファ、インターフェロンベータ、インターフェロンガンマ、腫瘍壊死因子、CD40L、トラスツズマブおよび他のモノクローナル抗体から成る群から選択される、請求項4に記載の腫瘍溶解ヒトアデノウイルスベクター。
【請求項６】
前記トランスジーンが、hTERTプロモーター下のE1および／または複製活性化Ad3 E3プロモーター下のE3に配置される、請求項4または5に記載の腫瘍溶解ヒトアデノウイルスベクター。
【請求項７】
前記トランスジーンとE1A領域の間に内部リボソーム進入部位（IRES）を含む、請求項1から6のいずれか1項に記載の腫瘍溶解ヒトアデノウイルスベクター。
【請求項８】
hTERTプロモーター、トランスジーン、IRESおよびE1Aを含む、請求項1から7のいずれか1項に記載の腫瘍溶解ヒトアデノウイルスベクター。
【請求項９】
少なくとも1つの発現カセットを含む、請求項1から8のいずれか1項に記載の腫瘍溶解ヒトアデノウイルスベクター。
【請求項１０】
請求項1から9のいずれか1項に記載のアデノウイルスベクターを含む細胞。
【請求項１１】
請求項1から9のいずれか1項に記載のアデノウイルスベクターを含む医薬組成物。
【請求項１２】
in situ癌ワクチンとして機能する、請求項1から9のいずれか1項に記載の腫瘍溶解ヒトアデノウイルスベクターまたは請求項11に記載の医薬組成物。
【請求項１３】
対象者で癌を治療するための医薬の製造における、請求項1から9のいずれか1項に記載のアデノウイルスベクターの使用。
【請求項１４】
癌が以下から成る群から選択される、請求項13に記載の使用：鼻咽頭癌、滑膜癌、肝細胞癌、腎癌、結合組織の癌、メラノーマ、肺癌、腸癌、結腸癌、直腸癌、結腸直腸癌、脳の癌、咽喉癌、口内癌、肝癌、骨の癌、膵臓癌、絨毛癌、ガストリノーマ、クロム親和性細胞腫、プロラクチノーマ、T細胞白血病／リンパ腫、神経腫、フォン・ヒッペル-リンダウ病、ゾリンジャー-エリソン症候群、副腎癌、肛門癌、胆管癌、膀胱癌、尿管癌、脳の癌、稀突起神経膠腫、神経芽細胞腫、髄膜腫、脊髄腫瘍、骨の癌、骨軟骨腫、軟骨肉腫、ユーイング肉腫、未知の原発癌、類癌、胃腸管の類癌、線維肉腫、胸部癌、パジェット病、子宮頸癌、結腸直腸癌、直腸癌、食道癌、胆嚢癌、頭部の癌、眼の癌、首の癌、腎臓癌、ウィルムス腫瘍、肝臓癌、カポジ肉腫、前立腺癌、肺癌、精巣癌、ホジキン病、非ホジキンリンパ腫、口内癌、皮膚癌、中皮腫、多発性骨髄腫、卵巣癌、内分泌系膵臓癌、グルカゴノーマ、膵臓癌、上皮小体癌、陰茎癌、下垂体癌、軟組織肉腫、網膜芽細胞腫、小腸癌、胃癌、胸腺癌、甲状腺癌、栄養膜の癌、胞状奇胎、子宮癌、子宮内膜癌、膣癌、外陰部癌、聴覚神経腫、菌状息肉腫、インスリノーマ、類癌症候群、ソマトスタチノーマ、歯肉癌、心臓の癌、口唇癌、髄膜癌、口の癌、神経の癌、口蓋癌、耳下腺癌、腹膜癌、咽頭癌、胸膜癌、唾液腺癌、舌癌および扁桃癌。
【請求項１５】
対象者がヒトまたは動物である、請求項13又は14のいずれか1項に記載の使用。
【請求項１６】
医薬が、腫瘍内、筋肉内、動脈内、静脈内、胸膜内、嚢内、腔内または腹膜内注射または経口により投与される、請求項13〜15のいずれか1項に記載の使用。
【請求項１７】
腫瘍溶解ヒトアデノウイルスベクターまたは医薬組成物が治療期間中に数回投与される、請求項13〜16のいずれか1項に記載の使用。
【請求項１８】
前記医薬が、対象者への放射線療法または放射性ヨウ化物の同時付与と組み合わせられる、又は、
前記医薬が、対象者への化学療法の同時付与と組み合わせられる、
請求項13〜17のいずれか1項に記載の使用。
【請求項１９】
前記対象者が大量の抗Ad5中和抗体を有する、及び／又は、
前記対象者が以前にAd5で処置されている、請求項13〜18のいずれか1項に記載の使用。
【請求項２０】
以下の工程を含む、請求項1〜9のいずれか1項に記載のアデノウイルスベクターを製造する方法：
i）少なくとも部分的なAd3 DNAおよび1つまたはいくつかの腫瘍特異的または組織特異的プロモーターおよび／または場合によって1つまたはいくつかのトランスジーンを含むDNAベクターを提供する工程；および
ii）Ad3ゲノムの残りおよび場合によって1つまたはいくつかの腫瘍特異的または組織特異的プロモーターおよび／または場合によって1つまたはいくつかのトランスジーンを前記ベクターに挿入する工程。
【誤訳訂正２】
【訂正対象書類名】明細書
【訂正対象項目名】００１７
【訂正方法】変更
【訂正の内容】
【００１７】
癌：
任意の癌または腫瘍（悪性および良性腫瘍とともに原発腫瘍および転移を含む）が遺伝子療法の標的となりえる。本発明の具体的な実施態様では、癌は任意の固形腫瘍である。本発明のある実施態様では、癌は以下から成る群から選択される：鼻咽頭癌、滑膜癌、肝細胞癌、腎癌、結合組織の癌、メラノーマ、肺癌、腸癌、結腸癌、直腸癌、結腸直腸癌、脳の癌、咽喉癌、口内癌、肝癌、骨の癌、膵臓癌、絨毛癌、ガストリノーマ、クロム親和性細胞腫、プロラクチノーマ、T細胞白血病／リンパ腫、神経腫、フォン・ヒッペル-リンダウ病、ゾリンジャー-エリソン症候群、副腎癌、肛門癌、胆管癌、膀胱癌、尿管癌、脳の癌、稀突起神経膠腫、神経芽細胞腫、髄膜腫、脊髄腫瘍、骨の癌、骨軟骨腫、軟骨肉腫、ユーイング肉腫、未知の原発癌、類癌、胃腸管の類癌、線維肉腫、胸部癌、パジェット病、子宮頸癌、結腸直腸癌、直腸癌、食道癌、胆嚢癌、頭部の癌、眼の癌、首の癌、腎臓癌、ウィルムス腫瘍、肝臓癌、カポジ肉腫、前立腺癌、肺癌、精巣癌、ホジキン病、非ホジキンリンパ腫、口内癌、皮膚癌、中皮腫、多発性骨髄腫、卵巣癌、内分泌系膵臓癌、グルカゴノーマ、膵臓癌、上皮小体癌、陰茎癌、下垂体癌、軟組織肉腫、網膜芽細胞腫、小腸癌、胃癌、胸腺癌、甲状腺癌、栄養膜の癌、胞状奇胎、子宮癌、子宮内膜癌、膣癌、外陰部癌、聴覚神経腫、菌状息肉腫、インスリノーマ、類癌症候群、ソマトスタチノーマ、歯肉癌、心臓の癌、口唇癌、髄膜癌、口の癌、神経の癌、口蓋癌、耳下腺癌、腹膜癌、咽頭癌、胸膜癌、唾液腺癌、舌癌および扁桃癌。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
配列番号 4 (GG00444) と少なくとも 91% の配列同一性を有する配列またはその断片もしくは変異体、
配列番号 2 (GG00442) と少なくとも 94% の配列同一性を有する配列またはその断片もしくは変異体、または
配列番号 3 (GG00443) と少なくとも 84% の配列同一性を有する配列またはその断片もしくは変異体
を含むペプチドであって、線毛構造の一部である、ペプチド。
【請求項２】
請求項１に記載の少なくとも１つのペプチドを含む線毛構造。
【請求項３】
組換えのものである、請求項 1 または 2 に記載のペプチドまたは線毛構造。
【請求項４】
細菌からのもの、好ましくはラクトバチルス・ラムノサス GG (LGG) 株などのラクトバチルス・ラムノサスからのものである、請求項 1-3 のいずれかに記載のペプチドまたは線毛構造。
【請求項５】
消化管および粘液に結合するものである、請求項 1-4 のいずれかに記載のペプチドまたは線毛構造。
【請求項６】
請求項 1-5 のいずれかに記載の少なくとも１つのペプチドまたは線毛構造を含む製品。
【請求項７】
食品、飼料製品または医薬組成物である、請求項 6 に記載の製品。
【請求項８】
ミルク、酸乳、ヨーグルト、チーズおよびスプレッド、粉ミルク、子供用食品、ベビーフード、幼児用食品、乳児用フォーミュラ、ジュースならびにスープを含む、乳製品、ベーカリー製品、チョコレートおよび菓子、砂糖およびガム菓子、穀物製品、スナック、ベリーもしくは果物に基づく製品ならびにドリンク/飲料からなる群より選択される食品である、請求項 7 に記載の製品。
【請求項９】
医薬としての使用のための、請求項 1-5 のいずれかに記載の少なくとも１つのペプチドまたは線毛構造を含む製品。
【請求項１０】
下痢症、動脈性高血圧、血管疾患、アレルギー、癌、アトピー性疾患、ウイルス性疾患、感染症、尿路感染症、呼吸器感染症、う蝕、過敏性腸症候群、炎症性腸疾患、粘膜炎、腸透過性障害、肥満症、メタボリックシンドローム、酸化ストレスまたは腹痛の予防または処置のための、請求項 1-5 のいずれかに記載の少なくとも１つのペプチドまたは線毛構造を含む製品。
【請求項１１】
下痢症、動脈性高血圧、血管疾患、アレルギー、癌、アトピー性疾患、ウイルス性疾患、感染症、尿路感染症、呼吸器感染症、う蝕、過敏性腸症候群、炎症性腸疾患、粘膜炎、腸透過性障害、肥満症、メタボリックシンドローム、酸化ストレスまたは腹痛を処置又は予防するための医薬の製造における、請求項 1-5 のいずれかに記載の少なくとも１つのペプチドまたは線毛構造の使用。
【請求項１２】
配列番号 10-12 のいずれかの配列もしくはその縮重配列を含むかまたは請求項 1 および 3-5 のいずれかに記載のペプチドをコードするポリヌクレオチド。
【請求項１３】
請求項 12 に記載のポリヌクレオチドを含むベクター。
【請求項１４】
請求項 12 に記載のポリヌクレオチドまたは請求項 1 および 3-5 のいずれかに記載のペプチドを含む宿主細胞。
【請求項１５】
請求項 12 に記載の少なくとも１つのポリヌクレオチドを含む遺伝子クラスター。
【請求項１６】
請求項 1 および 3-5 のいずれかに記載のペプチドのいずれかまたはその機能ドメインに対する抗体。
【請求項１７】
以下の工程を含む、配列番号 10-12 の少なくとも１つのポリヌクレオチドもしくはその断片または請求項 1-5 のいずれかに記載の少なくとも１つのペプチドもしくは線毛構造を含む細菌株をスクリーニングする方法：
A) i) 細菌株から DNA または RNA を提供する工程;
ii) 配列番号 10-12 のポリヌクレオチドまたはその断片に特異的なプライマーまたはプローブを工程 i) からの DNA または RNA とハイブリダイズさせる工程、および所望により該ポリヌクレオチドまたはその断片を増幅する工程; および
iii) 配列番号 10-12 のポリヌクレオチドまたはその断片と相同な少なくとも１つのポリヌクレオチドまたはその断片を検出する工程、または
B) i) 細菌株のタンパク質を提供する工程; および
ii) 請求項16に記載の少なくとも１つの抗体を用いて、少なくとも１つのポリペプチド、線毛構造またはその断片を検出する工程。
【請求項１８】
細菌株がプロバイオティックなものである、請求項 17 に記載の方法。
【請求項１９】
対象の消化管、上皮または粘液への病原性細菌の接着を減少させ又は阻害するため、粘液または上皮への細菌細胞または他の物質の接着を促進するため、および／または対象における免疫応答を改変するための、請求項 1-5 のいずれかに記載の少なくとも１つのペプチドおよび/または線毛構造。
【請求項２０】
請求項 6-8 のいずれかに記載の製品を生産する方法であって、好ましくは請求項 1-5 のいずれかに記載の少なくとも１つのペプチドもしくは線毛構造を製品に添加することにより、前記製品を生成する工程を含む方法。
【請求項２１】
以下の工程を含む、請求項 1-5 のいずれかに記載の少なくとも１つのペプチドまたは線毛構造を生産する方法:
A) i) 請求項 12 に記載の少なくとも１つのポリヌクレオチドを提供する工程;
ii) 該ポリヌクレオチドを用いて宿主細胞を形質転換する工程;
iii) 工程 ii) からの宿主細胞を培養してペプチドまたは線毛構造を生産させる工程;
iv) 所望により、該ペプチドまたは線毛構造を回収する工程、または
B) i) 請求項 1-5 のいずれかに記載の少なくとも１つのペプチドまたは線毛構造を生産するかまたは含む細胞を破壊する工程;
ii) 所望により、該ペプチドまたは線毛構造を回収する工程。
【請求項２２】
細胞が死細胞または生細胞である、請求項 21 に記載の方法。
【請求項２３】
以下の工程を含む、請求項 1 および 3-5 のいずれかに記載の少なくとも１つのペプチドを生産する方法:
i) アミノ酸を提供する工程;
ii) 少なくとも１つのペプチドを合成することにより、工程 i) のアミノ酸から少なくとも１つの本発明のペプチドを製造する工程。
【請求項２４】
生物情報学的アプローチを用いて、線毛構造を含む潜在的なプロバイオティック細菌株、または請求項 1-5 に記載のペプチドまたは線毛構造がそれに対して有効である病原菌株を検出する方法であって、以下の工程を含む方法:
i) 請求項 1、3-5 および 12 に記載の少なくとも１つのペプチド、ポリヌクレオチドまたはその断片の配列を提供する工程;
ii) 工程 i) の配列を、配列コレクションの配列と比較する工程;
iii) 工程 i) の配列に対して生物学的に合同な断片を有する配列を検出する工程。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
性を特定した動物であり、前記動物またはその親が、
（i）外因性のDMRT1、もしくは、オス染色体に連鎖したそのホモログの発現、または、DMRT1タンパク質、もしくは、そのホモログの活性を増加させるために、あるいは、
（ii）DMRT1、もしくは、オス染色体に連鎖したそのホモログの発現を阻害するために、または、DMRT1タンパク質、もしくは、そのホモログの活性を減少させるために、
遺伝的に改変された、性を特定した動物であり、
増加したDMRT1の発現、もしくは、DMRT1タンパク質の活性、またはそのホモログの発現もしくは活性が、オスの特徴を伴う動物を導き、
減少したDMRT1の発現、もしくは、DMRT1タンパク質の活性、または、そのホモログの発現もしくは活性が、メスの特徴を持つ動物を導く、性を特定した動物。
【請求項２】
DMRT1の発現もしくはDMRT1タンパク質の活性、または、そのホモログの発現もしくは活性が増加して、オスの特徴を伴う鳥動物を導き、あるいは、DMRT1の発現もしくはDMRT1タンパク質の活性、または、そのホモログの発現もしくは活性が減少して、メスの特徴を伴う動物を導く、請求項１に記載の性を特定した動物。
【請求項３】
鳥動物、爬虫類、魚、および、両生類から選択される、請求項１または２に記載の性を特定した動物。
【請求項４】
前記鳥動物がニワトリである、請求項３に記載の性を特定した動物。
【請求項５】
前記鳥動物が外因性のDMRT1遺伝子、または、そのホモログを発現する、請求項２に記載の性を特定した動物。
【請求項６】
請求項１から５のいずれか一項に記載の性を特定した鳥動物の子孫。
【請求項７】
性を特定した動物を作製する方法であり、動物の胚盤葉または発生途中の胚へ、DMRT1もしくはオス染色体に連鎖したそのホモログの発現のレベルを調節する、または、DMRT1タンパク質の活性を調節する作用因子を導入すること、および、胚が出生後の動物へ発達することを可能にすることを含む方法であり、DMRT1の発現、または、DMRT1タンパク質の活性を減少させる作用因子は動物をもたらし、DMRT1の発現またはDMRT1タンパク質の活性を増加させる作用因子はオスの特徴を持つ動物をもたらす、方法。
【請求項８】
動物が鳥動物である、請求項７に記載の方法。
【請求項９】
性を特定した鳥動物を作製する方法であり、DMRT1もしくはそのホモログの発現のレベル、または、DMRT1タンパク質の活性のレベルを調節する作用因子を、鳥動物の胚盤葉または発生途中の胚へ導入することを含む、方法。
【請求項１０】
鳥胚のメス化を誘導する方法であり、ある期間、胚がメスの特徴を発達するのに十分な条件下で、DMRT1発現またはDMRT1タンパク質の機能的レベルを減少させる作用因子を、胚へ導入することを含む方法。
【請求項１１】
鳥胚のオス化を誘導する方法であり、ある期間、胚がオスの特徴を発達するのに十分な条件下で、DMRT1タンパク質、もしくはその機能的ホモログもしくはアナログを含む、または、DMRT1タンパク質もしくはその機能的ホモログの発現を促進する作用因子を、胚へ導入することを含む方法。
【請求項１２】
メスの鳥動物を作製する方法であり、ある期間、胚がメス化するのに十分な条件下で、DMRT1もしくはそのホモログの発現を不活性化するために、胚内で鳥胚を遺伝的に改変すること、および、メス化した胚が成熟し孵化することを可能にすることを含む、方法。
【請求項１３】
動物の性が、オス染色体（M）に連鎖した性制御遺伝子の量（×）によって決定され、かつ、同形配偶子性の（MM）オスが２×量の制御遺伝子性を持ち、異形配偶子性の（MF（Fはメスの配偶子である））メスが１×量の制御遺伝子を持つ、性を特定した非ヒト動物であり、性を特定した動物またはその親が、
（i）M染色体上の性制御遺伝子の一つまたは両方の対立遺伝子の、＜2×の量へ下方制御された発現（性はメスである）、
（ii）MFメスにおけるM染色体上の性制御遺伝子の、2×以上の量のレベルに上方制御された発現（性はオスである）、および、
（iii）外因性の性制御遺伝子の、FまたはM染色体への導入および発現（性はオスとなる）、
から選択される方法によって遺伝的に改変され、
性制御遺伝子はDMRT1、または、そのオス染色体連鎖ホモログである、性を特定した非ヒト動物。
【請求項１４】
オス化した鳥動物の作製において、DMRT1発現もしくはタンパク質の活性を促進する作用因子、または、メス化した鳥動物の作製において、DMRT1遺伝子発現もしくはDMRT1タンパク質の活性を阻害する作用因子。
【請求項１５】
増加した経済的利益を伴うメス家禽の作製のために提供されるビジネスモデルであり、不活性化したDMRT1遺伝子または遺伝子座を伴うメスの家禽を作製すること、受精した卵を作製するために、これらの鳥と一羽または複数のオス鳥とを交配すること、卵の孵化を可能にすることを含み、得られる幼体が全てメスであり、メス鳥が飼育され、既存の家禽事業に導入される、モデル。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
嚢胞性線維症膜コンダクタンス制御因子（ＣＦＴＲ）を安定的に発現するように遺伝子工学処理された細胞または細胞株であって、前記細胞または細胞株はアッセイにおいて、少なくとも０．４、０．４５、０．５、０．５５、０．６、０．６５、０．７、０．７５、０．８、または０．８５のＺ’値をもたらすものである細胞または細胞株。
【請求項２】
ａ）真核性であり、
ｂ）哺乳類であり、
ｃ）内在性のＣＦＴＲを発現しないか、または
ｄ）（ａ）、（ｂ）および（ｃ）の任意の組み合わせである、請求項１に記載の細胞または細胞株。
【請求項３】
選択圧が存在しない状態で増殖または維持される、請求項１に記載の細胞または細胞株。
【請求項４】
前記ＣＦＴＲが、自己蛍光タンパク質を発現しない、または任意のポリペプチドタグを含まない、請求項１に記載の細胞または細胞株。
【請求項５】
前記ＣＦＴＲが、
ａ）配列番号２に記載のアミノ酸配列を含むＣＦＴＲポリペプチドと；
ｂ）配列番号２と少なくとも９５％同一であるアミノ酸配列を含むＣＦＴＲポリペプチドと；
ｃ）ストリンジェントな条件下で、配列番号１とハイブリダイズする核酸によってコードされるＣＦＴＲポリペプチドと；
ｄ）配列番号１の対立遺伝子変異型であって、核酸によってコードされるＣＦＴＲポリペプチドと；
ｅ）配列番号７に記載のアミノ酸配列を含むＣＦＴＲポリペプチドと；
ｆ）配列番号４を含む核酸によってコードされるＣＦＴＲポリペプチドと
からなる群から選択される、請求項１に記載の細胞または細胞株。
【請求項６】
前記ＣＦＴＲが、
ａ）配列番号１に記載の配列を含む核酸と；
ｂ）ストリンジェントな条件下で、配列番号１のヌクレオチド配列を含む核酸とハイブリダイズする核酸と；
ｃ）配列番号２のアミノ酸配列を含むポリペプチドをコードする核酸と；
ｄ）配列番号１と少なくとも９５％同一であるヌクレオチド配列を含む核酸と；
ｅ）配列番号１の対立遺伝子変異型である核酸と；
ｆ）配列番号４に記載の配列を含む核酸と；
ｇ）配列番号７のアミノ酸配列を含むポリペプチドをコードする核酸と
からなる群から選択される核酸によってコードされる、請求項１に記載の細胞または細胞株。
【請求項７】
前記細胞または細胞株が、異なる型または変異体のＣＦＴＲを発現する、請求項１に記載の細胞または細胞株の収集物。
【請求項８】
前記細胞または細胞株が同じ生理的特性を共有するように調和され、並行処理を可能にする、請求項７に記載の細胞または細胞株の収集物。
【請求項９】
ａ）ＣＦＴＲをコードする核酸を宿主細胞に導入するステップまたは内在性ＣＦＴＲの発現を活性化する１つ以上の核酸配列を宿主細胞に導入するステップと；
ｂ）ＣＦＴＲまたは活性化されたＣＦＴＲの前記発現を検出する分子ビーコンを前記宿主細胞に導入するステップと；
ｃ）ＣＦＴＲまたは活性化されたＣＦＴＲを発現する細胞を単離するステップと
を含む、請求項１に記載の細胞または細胞株を作製する方法。
【請求項１０】
ａ）請求項１に記載の細胞もしくは細胞株を試験化合物に曝露するステップと；
ｂ）前記試験化合物がＣＦＴＲモジュレーターであることを変化が示す、ＣＦＴＲ機能の変化を細胞において検出するステップと
を含むＣＦＴＲ機能のモジュレーターを同定する方法。
【請求項１１】
前記ＣＦＴＲが、
ａ）表１または表２から選択されるＣＦＴＲ変異体であって、
ｂ）前記ＣＦＴＲが配列番号４を含む核酸によってコードされ、
ｃ）前記ＣＦＴＲポリペプチドが配列番号７に記載のアミノ酸配列を含む、
請求項１０に記載の方法。
【請求項１２】
前記試験化合物が、小分子、化学成分、ポリペプチド抗体、または抗体の断片のライブラリーから選択されたものである、請求項１０に記載の方法。
【請求項１３】
一貫したレベルで、長期にわたってＣＦＴＲを安定的に発現するように遺伝子工学処理された細胞であって、
ａ）ＣＦＴＲをコードするｍＲＮＡを発現する多数の細胞を提供するステップと；
ｂ）前記細胞を個々の培養容器の中で１つ１つ分散させ、それによって多数の別々の細胞培養物を提供するステップと；
ｃ）培養条件が前記別々の細胞培養物の各々と実質的に同一であり、その培養中、別々の細胞培養物あたりの細胞数を正規化し、前記別々の培養物を同じスケジュールで継代するという点で特徴づけられる自動細胞培養法を用いて、一連の所望の培養条件下で前記細胞を培養するステップと；
ｄ）前記別々の細胞培養物をアッセイし、少なくとも２回、前記ＣＦＴＲの発現を測定するステップと；
ｅ）少なくとも２つのアッセイにおいて、一貫したレベルで前記ＣＦＴＲを発現する最終細胞株を別々の細胞培養物において同定し、それによって前記細胞を取得するステップと
を含む方法によって作製される細胞。
【請求項１４】
ａ）細胞の集団を提供するステップと；
ｂ）ＣＦＴＲの発現を検出する分子ビーコンを前記細胞に導入するステップと；
ｃ）ＣＦＴＲを発現する細胞を単離するステップと
を含む、ＣＦＴＲを内生的に発現する細胞を単離する方法。
【請求項１５】
前記細胞の細胞原形質膜においてＣＦＴＲの発現レベルを増加させるための、式
【化１】
2012516686.tif 000001
Ｎ−｛２−[（２−メトキシフェニル）アミノ]−４’−メチル−４，５’−ビ−１，３−チアゾ−ル−２’−イル｝ベンズアミド臭化水素酸
の化合物を含む組成物の使用。
【誤訳訂正書】
【提出日】平成25年7月8日(2013.7.8)
【誤訳訂正１】
【訂正対象書類名】明細書
【訂正対象項目名】００４５
【訂正方法】変更
【訂正の内容】
【００４５】
直列接続体におけるゲートの数は、ロジック回路１４に供給されるクロックの１クロックサイクル内にあるとゲート遅延の数より著しく大きい。例えば、直列接続体におけるゲートの数は、１クロックサイクル内にあり得るゲート遅延の数の約１００倍である。従って、1クロックサイクルにおいて１４のゲート遅延が得られる場合には、ゲート１０４Ａ−１０４Ｈの直列接続体に約１４００のゲートがある。非常に多数のゲートを使用することで、ロジック回路１４に実際に生じる回路遅延に対する測定遅延のマッチングを改善することができる。更に、本実施形態は、クロックサイクルに関して遅延をカウントするので、非常に多数のゲートがあると、クロックサイクルの粒度のために生じる測定エラーを減少することができる。例えば、クロックサイクル内のゲート遅延の数の１００倍では、遅延における１つの全クロックサイクルのエラー（考えられる最大エラー）は、測定値の１％に過ぎない。この実施形態では１００が使用されるが、他の実施形態は、より大きな数又はより小さな数（例えば、２００、５００、１００、５０、等）を使用してもよい。
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
１００ｎＭ未満のＩＣ50値を有する少なくとも３つの異なるＨＬＡ−ＤＲ対立遺伝子によりコードされるＭＨＣクラスＩＩ分子を結合できるオリゴペプチド配列を含む単離ポリペプチドであって、オリゴペプチド配列がＡＸ1ＦＶＡＡＸ2ＴＬＸ3ＡＸ4Ａ（配列番号１）を含み、
−  Ｘ1がＹ、Ｈ、Ｉ、Ｅ、Ｎ、ＱおよびＫからなる群から選択され；
−  Ｘ2がＦ、Ｎ、ＹおよびＷからなる群から選択され；
−  Ｘ3がＨであり；
−  Ｘ4がＡであり；
ここで前記オリゴペプチド配列が配列番号３と比較して、改善されたプロテアーゼ耐性および／または免疫原性を示す、単離ポリペプチド。
【請求項２】
前記オリゴペプチドが配列番号２３、２９、４７、５４、６６、６７、６９および７２からなる群から選択されたオリゴペプチド中の１３個のアミノ酸残基Ｃ末端フラグメントと同一のアミノ酸配列を有する、請求項１に記載の単離ポリペプチド。
【請求項３】
前記ポリペプチドがオリゴペプチドに加えて未変性ポリペプチド配列の大部分を含んでいる、請求項１または２に記載の単離ポリペプチド。
【請求項４】
前記未変性ポリペプチド配列がヒトＴＮＦα由来のものである、請求項３に記載の単離ポリペプチド。
【請求項５】
前記オリゴペプチドに加えて、少なくとも１つの抗原由来の複数のエピトープを含む、請求項１または２に記載の単離ポリペプチド。
【請求項６】
前記複数のエピトープが、複数のＣＴＬエピトープ、複数のＢ−細胞エピトープ、複数のＴヘルパーリンパ球エピトープ、複数のＣＴＬおよびＢ細胞エピトープ、複数のＣＴＬおよびＴヘルパーリンパ球エピトープ、複数のＢ細胞およびＴヘルパーリンパ球エピトープおよび複数のＢ細胞、ＣＴＬおよびＴヘルパーリンパ球エピトープから選択されている、請求項５に記載の単離ポリペプチド。
【請求項７】
前記エピトープが１つの単一抗原タンパク質に由来するものであるか、あるいは同じ種に任意に由来する少なくとも２つの異なる抗原タンパク質に由来するものである、請求項５または６に記載の単離ポリペプチド。
【請求項８】
前記ポリペプチドが１００個以下のアミノ酸を有する、請求項１、２および５〜７のいずれか一項に記載の単離ポリペプチド。
【請求項９】
前記ポリペプチドが、ＭＨＣ分子を結合できるオリゴペプチド配列と重複しない第２のオリゴペプチド配列を含む、請求項１または３または５〜８に記載の単離ポリペプチド。
【請求項１０】
前記第２のオリゴペプチド配列がＣＴＬ配列またはＢ細胞エピトープを含む、請求項９に記載の単離ポリペプチド。
【請求項１１】
請求項１〜１０のいずれか一項に記載のポリペプチドをコードする単離ポリヌクレオチド。
【請求項１２】
請求項１〜１０のいずれか一項に記載のポリペプチドをコードする単離ポリヌクレオチドに対して作動的に連結されたプロモータを含む核酸を含む単離ベクター。
【請求項１３】
請求項１〜１０のいずれか一項に記載のポリペプチドをコードする単離ポリヌクレオチドに対して作動的に連結されたプロモータを含む核酸を含む細胞。
【請求項１４】
単離細胞である、請求項１３に記載の細胞。
【請求項１５】
請求項１〜１０のいずれか一項に記載のポリペプチドと抗原を含む組成物。
【請求項１６】
前記抗原が第２のポリペプチドまたは非タンパク性抗原である、請求項１５に記載の組成物。
【請求項１７】
前記抗原が炭水化物である、請求項１６に記載の組成物。
【請求項１８】
さらに生理学的に許容される賦形剤を含む医薬組成物の形態における、請求項１５〜１７のいずれか一項に記載の組成物。
【請求項１９】
医薬として用いられる、請求項１〜１０のいずれか一項に記載のポリペプチド、請求項１１に記載のポリヌクレオチド、請求項１２に記載のベクター、請求項１３または１４に記載の細胞、あるいは請求項１５〜１８のいずれ１項に記載の組成物。
【請求項２０】
免疫応答を刺激する方法に用いられる、請求項１〜１０のいずれか一項に記載のポリペプチド、請求項１１に記載のポリヌクレオチド、請求項１２に記載のベクター、請求項１３または１４に記載の細胞、または請求項１５〜１８のいずれ１項に記載の組成物であって、該方法が、動物に対して有効量の前記ポリペプチドまたはポリヌクレオチド、あるいは非病原性ウイルスまたは微生物を投与するステップを含み、ここで該ウイルスまたは微生物は請求項１１に記載のポリヌクレオチドが形質転換されている、ポリペプチド、ポリヌクレオチド、ベクター、細胞、または組成物。
【請求項２１】
前記動物がヒトである、請求項２０に記載のポリペプチド、ポリヌクレオチド、ベクター、細胞、または組成物。
【手続補正書】
【提出日】平成25年1月28日(2013.1.28)
【手続補正１】
【補正対象書類名】明細書
【補正対象項目名】０００８
【補正方法】変更
【補正の内容】
【０００８】
本発明は、構造部、多孔質部、および互いに隔てて配置され且つ構造部から多孔質部まで延びていて、そのため構造部と多孔質部とを互いに接続する少なくとも２つの相互接続部を有する複合材料に関する。本発明による典型的な複合材料において、各相互接続部は、ポリマー、充填ポリマー又はポリマーマトリックス材料、充填材および強化材料を含む複合材料で作製されていて、且つ幅および高さが独立して長さの最大でも２０％である長さ、幅および高さを有する帯状であって、且つ相互接続部の少なくとも１つが少なくとも部分的に構造部および多孔質部に埋め込まれている。
また、本発明は、インプラントにおける複合材料の利用法に関する。
また、本発明は、構造部、多孔質部および少なくとも２つの相互接続部を有する複合材料の製造方法に関する。
【手続補正２】
【補正対象書類名】特許請求の範囲
【補正対象項目名】全文
【補正方法】変更
【補正の内容】
【特許請求の範囲】
【請求項１】
構造部、多孔質部、および互いに隔てて配置されて且つ構造部から多孔質部まで延びていて、そのため構造部と多孔質部とを互いに接続する少なくとも２つの相互接続部を有する複合材料であって、
各相互接続部が、ポリマー、充填ポリマー又はポリマーマトリックス材料、充填材および強化材料を含む複合材料で作製されていて、且つ幅および高さが独立して帯の長さの最大でも２０％である長さ、幅および高さを有する帯状であって、且つ
前記複数の相互接続部の少なくとも１つが少なくとも部分的に構造部および多孔質部に埋め込まれていることを特徴とする前記材料。
【請求項２】
前記相互接続部の幅および高さが、独立して相互接続部の長さの最大でも１５％であることを特徴とする請求項１に記載の複合材料。
【請求項３】
前記構造部および前記多孔質部がいずれも繊維およびマトリックスを含有することを特徴とする請求項１又は２に記載の複合材料。
【請求項４】
前記構造部の体積当たりの繊維の量が、前記多孔質部の体積当たりの繊維の量より多いことを特徴とする請求項３記載の複合材料。
【請求項５】
前記構造部の体積当たりのマトリックスの量が、前記多孔質部の体積当たりのマトリックスの量より多いことを特徴とする請求項１〜４のいずれか１項に記載の複合材料。
【請求項６】
前記構造部の繊維が、織物又は一方向繊維のロービング状であることを特徴とする請求項１〜５のいずれか１項に記載の複合材料。
【請求項７】
前記多孔質部の繊維が、チョップ繊維、任意配向繊維、織物あるいは立体繊維織りからなる群から選択される形状であるであることを特徴とする請求項１〜６のいずれか１項に記載の複合材料。
【請求項８】
前記相互接続部がマトリックスを含有することを特徴とする請求項１〜７のいずれか１項に記載の複合材料。
【請求項９】
前記相互接続部がさらに充填材を含有することを特徴とする請求項８に記載の複合材料。
【請求項１０】
複合材料がさらに修飾粒子を含有することを特徴とする請求項１〜９のいずれか１項に記載の複合材料。
【請求項１１】
前記修飾粒子が複合材料の骨導電率を改良することを特徴とする請求項１０に記載の複合材料。
【請求項１２】
前記修飾粒子が、生物活性セラミック、生物活性ガラス、シリカゲル、チタンゲル、シリカキセロゲル、シリカエーロゲル、ナトリウムシリカガラス、チタンゲル、生物活性ガラスアイオノマー、ヒドロキシアパタイト、Ｃａ／Ｐドープシリカゲルおよびそれらの混合物からなる群から選択されることを特徴とする請求項１０又は１１に記載の複合材料。
【請求項１３】
前記構造部、多孔質部および相互接続部のマトリックス材料が異なる量の同じ成分からなることを特徴とする請求項１〜１２のいずれか１項に記載の複合材料。
【請求項１４】
複合材料が複数の相互接続部に配置された完成人工歯根をさらに有することを特徴とする請求項１〜１３のいずれか１項に記載の複合材料。
【請求項１５】
請求項１〜１４のいずれか１項に記載の複合材料を含むインプラント。
【請求項１６】
さらに、幹細胞を含有することを特徴とする請求項１５に記載のインプラント。
【請求項１７】
構造部、多孔質部および少なくとも２つの相互接続部を有する複合材料の製造方法であって、以下の工程：
ａ）構造部が製作されそして複合材料にとって必要な最終形状に成形され、そして少なくとも部分的に硬化される工程、
ｂ）複数の相互接続部が形づくられそして互いに距離を置いて前記構造部上に置かれる工程、
ｃ）多孔質部が製作され、前記構造部の形状に一致して成形されそして少なくとも部分的に硬化される工程、および
ｄ）相互接続部と同じ側の構造部に前記多孔質部が押圧される工程
を含む、前記方法。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
使用者がそれを通して薬剤の用量を吸入しうるマウスピース（２１ａ）と、用量を含有したブリスター（１６）を受け入れるスロット（２３）を有するブリスター支持部（２０）とを有するハウジング（２１）を含む吸入器であって、
ハウジング（２１）およびブリスター支持部（２０）は、前記スロット（２３）へのブリスター（１６）の挿入のための第一の位置と、使用者がマウスピース（２１ａ）から吸入を行うとき、用量が空気流に混入され、ブリスター（１６）からマウスピース（２１ａ）を通って使用者の気道へと流れるようにするために、ハウジング（２１）によって担持されるブリスター穿孔要素（３４）が、挿入されたブリスター（１６）に穿孔する、第二の穿孔位置との間で互いに回動可能であり、
ハウジング（２１）が一方の端部にある、穿孔されたブリスター（１６）から室（２４）へと入り込む薬剤含有空気流のための吸入口（２９）と、反対側の端部にある、マウスピース（２１ａ）から出て患者の気道へと入り込む薬剤含有空気流のための排出口（２６）とを有する、略円筒形の室（２４）を具備することを特徴とする吸入器。
【請求項２】
室（２４）が吸入口（２９）と排出口（２６）の間に延在する長手軸を有する請求項１に記載の吸入器。
【請求項３】
略円筒形の室（２４）が吸入口（２９）および排出口（２６）間を流れる薬剤含有空気と相互作用するためにサイクロン室（２４）へと入り込む清浄な空気流のための、少なくとも一つのバイパス空気吸入口（３０）を有する請求項１または２に記載の吸入器。
【請求項４】
バイパス空気吸入口（３０）が、薬剤含有空気流と相互作用する清浄な空気からサイクロン空気流が発生するように、室（２４）と接線で合流する請求項３に記載の吸入器。
【請求項５】
室（２４）とバイパス空気吸入口（３０）がハウジング（２１）内に位置する挿入物（２５）を含む請求項２から４のいずれか一項に記載の吸入器。
【請求項６】
ハウジング（２１）は、離間された一対の側壁（２１ａ、２１ｂ）を有し、前記側壁（２１ａ、２１ｂ）間に挿入物（２５）が配置され、側壁（２１ａ、２１ｂ）はバイパス空気吸入口（３０）の端部を越えて横方向に延在する請求項２６に記載の吸入器。
【請求項７】
使用者がハウジング（２１）に関してブリスター支持部（２０）を前記第二の穿孔位置まで回動可能にすることで、スロット（２３）内に挿入され、ブリスター支持部（２０）に支持されたブリスターが、前記ブリスター穿孔要素（３４）によって穿孔されるように、ブリスター支持部（２０）はハウジング（２１）内に回動可能に搭載され、ハウジング（２１）から延在し、
ブリスター支持部（２０）が、ハウジング（２１）の壁に形成された切欠部分（１０１ａ）内に延びたレバー部（１０３ａ）を含み、
ハウジング（２１）およびレバー部（１０３ａ）が共にその間の凹部（Ｒ）を明らかにするように、前記レバー部（１０３ａ）がハウジング（２１）の壁の切欠部分（１０１ａ）のみを占め、
ブリスター支持部（２０）に受け入れるブリスターのブリスタータブが前記スロット（３４）から前記凹部に突き出すようにスロット（３４）を配置する請求項１に記載の吸入器。
【請求項８】
ブリスター支持部（２０）を第一の位置に置いた際に、前記凹部に延在するブリスタータブをハウジング（２１）およびブリスター支持部（２０）から離間させるようにスロット（３４）を構成する請求項７に記載の吸入器。
【請求項９】
ブリスター支持部（２０）およびハウジング（２１）を、ブリスター支持部（２０）がその第二の穿孔位置で回転する際に、ブリスター支持部（２０）がその第一の位置にあるときよりもアクセスしにくい位置にあるように開口部から凹部に突き出すブリスタータブを構成する請求項８に記載の吸入器。
【請求項１０】
ブリスター支持部（２０）がスロットを通して挿入されたブリスターを支持するための座部を含む請求項１から９のいずれか一項に記載の吸入器。
【請求項１１】
ブリスターの座部が、ブリスターボウルを取り囲むブリスターの周囲を支持するブリスター支持面（４５）を含む請求項１０に記載の吸入器。
【請求項１２】
ブリスター支持面（４５）を支持面（４５）に接するブリスターの端が支持面（４５）と囲壁の間に支持されるように、囲壁（４６）の下方に位置する請求項１１に記載の吸入器。
【請求項１３】
ブリスター支持面（４５）が、ブリスターボウルを受け入れるための、略Ｕ字型の切欠と、Ｕ字型の基部から切欠まで延在する弓状に形成された片持ち梁アーム（４７）を有する請求項１１または請求項１２に記載の吸入器。
【請求項１４】
片持ち梁アーム（４７）が、ブリスターボウルと係合する唇状部（４９）を持った拡大したヘッドを有し、片持ち梁アーム（４７）を、ブリスターを装置内に保持するために、ブリスターボウルをヘッド上に載せ、弓状に形成された片持ち梁アーム（４７）内に位置させるために、弾性的に変形する請求項１３に記載の吸入器。
【請求項１５】
ブリスター支持部が、予備装填されたブリスターの折り畳まれたブリスタータブを受け入れるための、ブリスター支持部（２０）の側壁に形成されたタブ受け入れ凹部を有する請求項１１から１４のいずれか一項に記載の吸入器。
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
加圧された閉鎖系の漏出抵抗性を高める方法であって、
上面に露出部分を有する隔壁によって密封された容器を備え、少なくとも約３４．５ｋＰａ（５ｐｓｉｇ）の正圧下に維持されている閉鎖系を用意するステップと、
前記隔壁の前記露出部分に形成される隆起又は変形のサイズを縮小するように、
（ｉ）前記隔壁の前記露出部分の内側に配置された境界部分の少なくとも一部分であって、前記境界部分が、前記隔壁の前記露出部分の周縁部に隣接し、前記周縁部に沿って延び、前記隔壁の前記露出部分の前記周縁部と一致する外周と、前記隔壁の前記露出部分の内側に配置された内周とを有し、前記内周及び前記外周が前記境界部分の領域を画定する、前記境界部分の少なくとも一部分、又は
（ii）前記隔壁の前記露出部分の中心部分の少なくとも一部分であって、前記中心部分が、前記隔壁の前記露出部分の中心から前記境界部分の前記内周まで延び、前記境界部分の前記内周によって画定された領域を有する、前記中心部分の少なくとも一部分、或いは
（iii）（ｉ）及び（ii）の両方
に隣接又は接触するように、硬質構成部品の接触面を固定して配置するステップと
を含む方法。
【請求項２】
閉鎖系で維持される正圧が約３４．５ｋＰａ（５ｐｓｉｇ）〜約２４１３ｋＰａ（３５０ｐｓｉｇ）の範囲にある、請求項１に記載の方法。
【請求項３】
硬質構成部品が、１又は２以上の針を収容する１又は２以上の通路を有し、前記硬質構成部品の接触面が、１又は２以上の開口部を有し、前記開口部を通って前記１又は２以上の針が延びる、請求項１又は２に記載の方法。
【請求項４】
１又は２以上の針のそれぞれの端部が、硬質構成部品の接触面の１又は２以上の開口部から、隔壁の露出部分に形成された１又は２以上の開口部を通って延びる、請求項３に記載の方法。
【請求項５】
硬質構成部品が、１又は２以上の通路内に１又は２以上のニードルガイドチューブを備え、前記１又は２以上のニードルガイドチューブが、１又は２以上の針の横方向の移動を防止する、請求項３又は４に記載の方法。
【請求項６】
容器が、ヒト患者又は動物患者に注入するための、又はベッセル容器に送達するための製品を収容する、請求項１〜５のいずれかに記載の方法。
【請求項７】
製品が、有効薬剤成分、放射性成分、又はそれらの混合物を収容する医療デバイス又はデリバリシステムである、請求項６に記載の方法。
【請求項８】
隔壁密封容器から物質を移送するときに、外力を用いて隔壁を圧縮するステップをさらに含む、請求項１〜７のいずれかに記載の方法。
【請求項９】
硬質構成部品の接触面が、隔壁の露出部分の中心部分の少なくとも一部分に隣接又は接触するように固定して配置される、請求項１〜８のいずれかに記載の方法。
【請求項１０】
硬質構成部品の接触面が、隔壁の露出部分の中心部分に隣接又は接触するように固定して配置される、請求項１〜８のいずれかに記載の方法。
【請求項１１】
硬質構成部品の接触面が、隔壁の露出部分の中心部分の少なくとも一部分に接触するように固定して配置される、請求項１〜８のいずれかに記載の方法。
【請求項１２】
硬質構成部品の接触面が、隔壁の露出部分の中心部分に接触するように固定して配置される、請求項１〜８のいずれかに記載の方法。
【請求項１３】
硬質構成部品の接触面が、外部の剛体化機構又は剛構造を使用して固定して保持される、請求項１〜１２のいずれかに記載の方法。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
閉鎖型直鎖状デオキシリボ核酸（DNA）の製造のためのin vitro無細胞法であって、以下のステップ：
(a)少なくとも1つのプロテロメラーゼ標的配列を含むDNA鋳型を、該鋳型の増幅を促進する条件下で、1種以上のプライマーの存在下で、少なくとも1種のDNAポリメラーゼと接触させるステップ；および
(b)閉鎖型直鎖状DNAの製造を促進する条件下で、ステップ(a)で生成された増幅されたDNAを、少なくとも1種のプロテロメラーゼと接触させるステップ
を含む、上記方法。
【請求項２】
前記DNA鋳型を、別の鎖の鎖置換複製による複製鎖の置換により該鋳型の増幅を促進する条件下でインキュベートする、請求項1に記載の方法。
【請求項３】
前記鋳型の増幅を、ローリングサークル型増幅（RCA）で行なう、請求項2に記載の方法。
【請求項４】
前記プライマーがランダムプライマーである、請求項1〜3のいずれか1項に記載の方法。
【請求項５】
前記DNAポリメラーゼが配列番号2のphi29もしくはその変異体であり、かつ/または前記プロテロメラーゼが配列番号15のバクテリオファージN15 TelNもしくはその変異体である、請求項1〜4のいずれか1項に記載の方法。
【請求項６】
ステップ(a)で生成された増幅されたDNAが、前記DNA鋳型から増幅されたDNA配列のタンデムな単位を含むコンカタマーを含む、請求項1〜5のいずれか1項に記載の方法。
【請求項７】
前記コンカタマーを、前記プロテロメラーゼにより増幅DNA配列の単独単位に分解する、請求項6に記載の方法。
【請求項８】
前記少なくとも1つのプロテロメラーゼ標的配列が、完全逆方向反復DNA配列を含む、請求項1〜7のいずれか1項に記載の方法。
【請求項９】
前記DNA鋳型が、閉鎖型環状DNAである、請求項1〜8のいずれか1項に記載の方法。
【請求項１０】
前記DNA鋳型が閉鎖型直鎖状DNAであり、好ましくは該DNA鋳型を変性条件下でインキュベートして閉鎖型環状DNAを形成させる、請求項1〜9のいずれか1項に記載の方法。
【請求項１１】
前記DNA鋳型が、対象コード配列に機能的に連結された真核生物プロモーター、および任意により真核生物転写終結配列を含む発現カセットを含み、
該対象コード配列が、任意によりヒトコード配列またはヒトに感染する病原体由来のコード配列である、
請求項1〜10のいずれか1項に記載の方法。
【請求項１２】
前記発現カセットに、いずれかの側でプロテロメラーゼ標的配列が隣接している、請求項11に記載の方法。
【請求項１３】
閉鎖型直鎖状発現カセットDNAの製造のための、請求項12に記載の方法。
【請求項１４】
ステップ(b)で生成された閉鎖型直鎖状DNAを精製するステップをさらに含む、請求項1〜13のいずれか1項に記載の方法。
【請求項１５】
以下のステップ：
(a)配列番号15のTelNにより切断および再結合されるプロテロメラーゼ標的配列を有する一本鎖の前記DNA鋳型を、配列番号2またはその変異体のphi29 DNAポリメラーゼによる該鋳型の増幅を促進する条件下で、約25〜約35℃の温度で、該ポリメラーゼと接触させるステップ；ならびに
(b)ステップ(a)で生成されたコンカタマーを、該プロテロメラーゼTelNの活性を促進する条件下で、約25〜約35℃の温度で、該プロテロメラーゼTelNまたはその変異体と接触させるステップ
を含む、請求項1〜14のいずれか1項に記載の方法。
【請求項１６】
前記プロテロメラーゼ標的配列が、配列番号25の配列またはその変異体を含む、請求項15に記載の方法。
【請求項１７】
少なくとも1種のDNAポリメラーゼおよび少なくとも1種のプロテロメラーゼと、任意により請求項1〜16のいずれか1項に記載の方法での使用のための説明書を含むキット。
【請求項１８】
閉鎖型直鎖状DNA分子を含む医薬組成物の製造方法であって、請求項1〜16のいずれか1項に記載の方法を行なうステップ、および得られた閉鎖型直鎖状DNAを、製薬上許容される担体または賦形剤と共に製剤化するステップを含む、上記方法。